(57)【要約】【課題】  例えば、右手用と左手用との兼用に有利な操作装置を提供することを目的とする。【解決手段】  本発明の操作装置は、可動の光学部材を操作する操作装置であって、筐体と、前記筐体に回転可能に支持され、該回転に関する量を示す目盛を含む操作部材と、前記筐体の頂き部に関して前記回転の方向における前記筐体の両側のそれぞれに配される、前記目盛部を指し示す視標と、を有することを特徴とする。【選択図】  図３
2019179205.tif 000002
【特許請求の範囲】
【請求項１】
可動の光学部材を操作する操作装置であって、
筐体と、
前記筐体に回転可能に支持され、該回転に関する量を示す目盛を含む操作部材と、
前記筐体の頂き部に関して前記回転の方向における前記筐体の両側のそれぞれに配される、前記目盛を指し示す視標と、
を有することを特徴とする操作装置。
【請求項２】
前記頂き部は、表示部を含む
ことを特徴とする請求項１に記載の操作装置。
【請求項３】
前記頂き部は、前記両側のそれぞれに設けられたスイッチを含むことを特徴とする請求項２に記載の操作装置。
【請求項４】
２つの前記視標のうち使用される視標に応じて、前記表示部における表示の向きを決定する
ことを特徴とする請求項２に記載の操作装置。
【請求項５】
前記視標は、前記両側のそれぞれに配されていることを特徴とする請求項２乃至４のうちいずれか１項に記載の操作装置。
【請求項６】
前記視標は、前記両側のいずれかに選択的に配されることを特徴とする請求項２乃至４のうちいずれか１項に記載の操作装置。
【請求項７】
前記視標は、前記両側のいずれかに選択的に配され、
前記両側にそれぞれに設けられた２つのスイッチと、
前記２つのスイッチのそれぞれに対して、それと同じ側に前記視標が配された状態で設定された機能を記憶する記憶部と、
を有することを特徴とする請求項６に記載の操作装置。
【請求項８】
前記視標は、前記操作部材の前記回転の軸を回転軸として回転可能であることを特徴とする請求項６に記載の操作装置。
【請求項９】
前記視標の前記回転の角度を検出する検出部を有し、
前記検出部により検出された前記角度に基づいて、前記表示部における表示の向きを決定する
ことを特徴とする請求項７に記載の操作装置。
【請求項１０】
前記両側にそれぞれに設けられた２つのスイッチと、
前記２つのスイッチに対して同一の機能を記憶する記憶部と、
を有する
ことを特徴とする請求項１乃至６，８、９のうちいずれか１項に記載の操作装置。
【請求項１１】
前記光学部材は、合焦のために移動するレンズを含むことを特徴とする請求項１乃至１０のうちいずれか１項に記載の操作装置。
【請求項１２】
請求項１乃至１１のうちいずれか１項に記載の操作装置と、
前記操作装置により操作される光学部材と、
を有することを特徴とするレンズ装置。
【請求項１３】
請求項１２に記載のレンズ装置と、
前記レンズ装置の像面に配された撮像素子と、
を有することを特徴とする撮像装置。
【発明の詳細な説明】
【技術分野】
【０００１】
本発明は、操作装置、レンズ装置、および撮像装置に関する。
【背景技術】
【０００２】
テレビレンズ装置において、撮影者は、そのフォーカス操作を行うために、フォーカスデマンドとも称される操作装置を使用する。このフォーカスデマンドは、撮影者が手動で操作する操作部材に相当するノブを有する。手動でのノブの回転操作の角度は、角度検出器により検出される。フォーカスレンズ群の位置は、当該角度検出器により検出された当該角度に基づいて、モータ等の駆動部を介して制御される。
【０００３】
ところで、フォーカスデマンドには、ノブ以外にも、複数の機能スイッチや、ノブの回転角度を把握するための目安となる視標等が具備されている。特許文献１では、ショット機能と視標とを有するフォーカスデマンド（操作装置）が開示されている。
【先行技術文献】
【特許文献】
【０００４】
【特許文献１】特許第３７６０４５８号公報
【発明の概要】
【発明が解決しようとする課題】
【０００５】
特許文献１に開示された操作装置は、撮影者が左手で操作することを考慮していないため、撮影者が左手で操作する場合は、左手用のフォーカスデマンドを用意する必要がある。
【０００６】
本発明の目的は、例えば、右手用と左手用との兼用に有利な操作装置を提供することである。
【課題を解決するための手段】
【０００７】
上記目的を達成するために、本発明の操作装置は、可動の光学部材を操作する操作装置であって、筐体と、前記筐体に回転可能に支持され、該回転に関する量を示す目盛を含む操作部材と、前記筐体の頂き部に関して前記回転の方向における前記筐体の両側のそれぞれに配される、前記目盛部を指し示す視標と、を有することを特徴とする。
【発明の効果】
【０００８】
本発明によれば、例えば、右手用と左手用との兼用に有利な操作装置を提供することができる。
【図面の簡単な説明】
【０００９】
【図１】本発明の操作装置を備える撮像装置の使用状態の説明図である。
【図２】実施例１の操作装置の斜視図である。
【図３】実施例１の操作装置の右手使用時と左手使用時を示す図である。
【図４】実施例２の操作装置の斜視図である。
【図５】実施例２の操作装置の右手使用時と左手使用時を示す図である。
【図６】実施例３の操作装置の斜視図である。
【図７】実施例３の操作装置の右手使用時と左手使用時を示す図である。
【発明を実施するための形態】
【００１０】
以下に、本発明の好ましい実施の形態を、添付の図面に基づいて詳細に説明する。
【実施例１】
【００１１】
以下、図１〜図３を参照して、本発明の第１の実施例によるレンズ操作装置について説明する。
図１に基づいて、フォーカスデマンド１０１を備える撮像装置の使用状態を説明する。レンズ装置１０２は、レンズ装置の像面の位置に配置された撮像素子を有するカメラ装置１０３を介して三脚１０４に保持される。三脚１０４には、レンズ装置１０２のフォーカスレンズ（合焦のために可動な光学部材）の駆動を操作するためのレンズ操作装置であるフォーカスデマンド１０１及びズームレンズ（可動の光学部材）の駆動を操作するためのレンズ操作装置であるズームデマンド１０５が保持される。撮影者１０６は、前記２つのレンズ操作装置を操作することで、所望の焦点及び画角を調整し撮影を行う。
【００１２】
図２に基づいて、フォーカスデマンド１０１を使用した焦点調整及び詳細について説明する。図２（ａ）及び図２（ｂ）は実施例２のフォーカスデマンド１０１の斜視図である。筐体１には、ノブ２（操作部材）が回転可能に支持される。ノブ２を回転することで、不図示の操作検出部によって検出されたノブ２の操作角度（回転位置）に応じた指令値をレンズ装置１０２に出力し、レンズ装置１０２のフォーカスレンズの駆動を操作するように不図示の制御部から指令値が出力される。つまり、ノブ２を操作することでレンズ装置１０２の焦点調整を行うことが可能となる。筐体１には、ディスプレイ３（表示部）と十字キー４及び、ディスプレイ３の両側に配されるスイッチ５、スイッチ６から構成される基準操作部が設けられる。十字キー４によってディスプレイ３（頂き部）に表示されるいずれかの機能を選択し、スイッチ５及びスイッチ６に同一の機能を割り当てる。するとスイッチ５及びスイッチ６を押すことで、割り当てられた機能のＯＮとＯＦＦを切り替えることができる。
【００１３】
図３に基づいて、フォーカスデマンド１０１の右手操作時と左手操作時の機能について説明する。図３は実施例１のフォーカスデマンド１０１の斜視図である。（ａ）は右手で操作する時、（ｂ）は左手で操作する時を表す。図３（ａ）及び図３（ｂ）で示すように、ディスプレイ３に表示される文字は、撮影者１０６に向かって表示されるため、矢印の様に視認することで現在スイッチ５及びスイッチ６に割り当てられている機能が何なのかを瞬時に確認することができる。加えて、筐体１にはディスプレイ３の両側に配された視標１ａ及び視標１ｂが設けられ、ノブ２には視標１ａ、１ｂによって指し示される目盛り２ａが設けられる。すると図３（ａ）で示すように、撮影者１０６がフォーカスデマンド１０１を右手で操作する場合には、視標１ａと目盛り２ａを確認することでノブ２の回転角度の目安とすることができる。また、図３（ｂ）で示すように、撮影者１０６がフォーカスデマンド１０１を左手で操作する場合には、視標１ｂと目盛り２ａを確認することでノブ２の回転角度の目安とすることができる。
【００１４】
以上の構造によって、スイッチ５及びスイッチ６に複数の機能を割り当てることで、スイッチを多数設ける必要がないため、小型且つ低コストとなる。また、ディスプレイ３を視認することで、現在スイッチ５及びスイッチ６に割り当てられた機能を瞬時に確認できるため、誤った機能を動作させることもない。更にはディスプレイ３と十字キー４が撮影者１０６に向かって表示及び配置され、且つディスプレイ３を挟んで対称に視標も２つ設けられているため、１台で右手と左手のどちらの操作にも対応可能である。更には、２つの視標は筐体１と一体で成形されることで部品点数を減らすことができるため、低コストとなる。
【実施例２】
【００１５】
以下、図４〜図５を参照して、本発明の第２の実施例によるレンズ操作装置について説明する。
撮像装置の使用状態及びノブ操作による焦点調整については、実施例１と差異が無いため説明を省略する。
【００１６】
図４に基づいて、フォーカスデマンド２０１の詳細について説明する。図４（ａ）及び図４（ｂ）は実施例２のフォーカスデマンド２０１の斜視図である。筐体７には、ディスプレイ８（設定画面、頂き部）と十字キー９及びスイッチ１０〜１３から構成される基準操作部が設けられる。また、筐体７にはディスプレイ８の両側に配された視標７ａ及び視標７ｂが設けられ、視標７ａ及び視標７ｂそれぞれは視標としての有効／無効を選択的に切り換えるための視標選択部材１４が着脱可能に取り付けられる。
【００１７】
図５に基づいて、フォーカスデマンド２０１の右手操作時と左手操作時の機能について説明する。図５は実施例２のフォーカスデマンド２０１の上部視図である。図５（ａ）は右手で操作する時、図５（ｂ）は左手で操作する時を表す。図５（ａ）で示す通り、視標選択部材１４を視標７ａに取り付けると、不図示の選択検出部により視標選択部材１４が視標７ａに装着されたことが検出される。すると、ディスプレイ８は右手用に表示され、且つ十字キー９はディスプレイ８の表示方向に合わせた操作が可能となる。すなわち視標選択部材１４によって選択された方向から見たときに正位置となるように表示方向が決定されて変更される。次に十字キー９によってディスプレイ８に表示される機能を選択し、スイッチ１０〜１３に機能を不図示の記憶部に記憶させる。するとスイッチ１０〜１３を押すことで、記憶された機能のＯＮとＯＦＦを切り替えることができる。一方図５（ｂ）で示す通り、視標選択部材１４を視標７ｂに取り付けると、ディスプレイ８は左手用に表示され、且つ十字キー９（指示部）はディスプレイ８の表示方向に合わせた操作が可能となる。すなわち視標選択部材１４によって選択された方向から見たときに正位置となるように表示方向が変更される。次に十字キー９（指示部）によってディスプレイ８に表示される機能を選択し、スイッチ１０〜１３に機能を不図示の記憶部に記憶させる。するとスイッチ１０〜１３を押すことで、記憶された機能のＯＮとＯＦＦを切り替えることができる。また、一度図５（ａ）及び図５（ｂ）の状態でスイッチ１０〜１３に機能を記憶させ、視標選択部材１４を視標７ａから視標７ｂへ付け替えると、図５（ｂ）の状態で記憶した機能となる。更に視標選択部材１４を視標７ｂから視標７ａへ付け替えると、図５（ａ）の状態で記憶した機能となる。
【００１８】
以上の構造によって、既存部品である視標選択部材１４を付け替えることで、自動的に右手用と左手用にディスプレイ８と十字キー９の設定が切り替わるため、部品点数を増やすことなく右手左手兼用のレンズ操作装置が可能となる。加えて、視標選択部材１４の付け替えによってスイッチ１０〜１３の機能も切り替わるため、機能の設定等を行い直すこともなく、撮影者の設定時間短縮となる。
また、スイッチ１０〜１３のそれぞれに対して、それと同じ側の視標が視標選択部材１４によって選択された状態で設定された機能を記憶部に記憶するようにしてもよい。また、視標が視標選択部材１４によって選択された状態に応じて、スイッチ１０〜１３のそれぞれに対して指定した機能を記憶部に記憶するようにしてもよい。その場合に、視標が視標選択部材１４によって選択された状態に応じて、スイッチ１０〜１３に割り当てられる機能をディスプレイ８に対して対称の関係となるように設定するようにしてもよい。
【実施例３】
【００１９】
以下、図６〜図７を参照して、本発明の第３の実施例によるレンズ操作装置について説明する。
撮像装置の使用状態及びノブ操作による焦点調整については、実施例１と差異が無いため説明を省略する。
【００２０】
図６に基づいて、フォーカスデマンド３０１の詳細について説明する。図６（ａ）及び図６（ｂ）は実施例３のフォーカスデマンド３０１の斜視図である。筐体１５には、ディスプレイ１６（頂き部）と十字キー１７及びスイッチ１８〜２１から構成される基準操作部が設けられる。また、筐体１５には視標部２２ａを有する視標リング２２がノブ２の回転軸を中心として回転可能に保持される。筐体１５は基準線１５ａが設けられることで、範囲１５ｂと範囲１５ｃに分割される。範囲１５ｂと範囲１５ｃは、領域を識別できればよく、例えば、色分け、パターン模様、範囲の境界線の明示、或いは、表面粗度の違いなどで識別できるようになっていればよい。視認可能となっていることがより好ましい。
【００２１】
図７に基づいて、フォーカスデマンド３０１の右手操作時と左手操作時の機能について説明する。図７は実施例３のフォーカスデマンド３０１の上部視図である。図７（ａ）は右手で操作する時、図７（ｂ）は左手で操作する時を表す。
【００２２】
視標部２２ａを有する視標リング２２は、ディスプレイ１６が配置される面、及び、スイッチ１８〜２１に対し、ノブ２の回転方向において対称となる位置（図７（ａ）、（ｂ））の間で回転可能である。ノブ２の回転方向において対称となる位置（図７（ａ）、（ｂ））のいずれかを選択して視標リング２２を位置させることにより、ノブ２を右手で操作するように設定する場合（図７（ａ））、左手で操作するように設定する場合（図７（ｂ））において、同様に良好な操作性を維持することができる。
【００２３】
図７（ａ）で示す通り、視標部２２ａを範囲１５ｂに配置すると、図示されない回転検出部により視標部２２ａが範囲１５ｂに配置されたことが検出される。すると、ディスプレイ１６は右手用に表示され、且つ十字キー１７はディスプレイ１６の表示方向に合わせた操作が可能となる。すなわち選択された範囲１５ｂ側から見たときに正位置となるように表示方向が変更される。次に十字キー１７によってディスプレイ１６に表示される機能を選択し、スイッチ１８〜２１に機能を不図示の記憶部に記憶させる。するとスイッチ１８〜２１を押すことで、記憶された機能のＯＮとＯＦＦを切り替えることができる。一方（ｂ）で示す通り、視標部２２ａを範囲１５ｃに配置すると、ディスプレイ１６は左手用に表示され、且つ十字キー１７はディスプレイ１６の表示方向に合わせた操作が可能となる。すなわち選択された範囲１５ｃ側から見たときに正位置となるように表示方向が変更される。次に十字キー１７（指示部）によってディスプレイ１６に表示される機能を選択し、スイッチ１８〜２１に機能を不図示の記憶部に記憶させる。するとスイッチ１８〜２１を押すことで、記憶された機能のＯＮとＯＦＦを切り替えることができる。また、一度図７（ａ）及び図７（ｂ）の状態でスイッチ１８〜２１に機能を不図示の記憶部に記憶させ、視標部２２ａを範囲１５ｂから範囲１５ｃへ移動させると、図７（ｂ）の状態で記憶した機能となる。更に視標部２２ａを範囲１５ｂから範囲１５ｃへ移動させると、図７（ａ）の状態で記憶した機能となる。
【００２４】
ノブ２の回転方向において対称となる位置（図７（ａ）、（ｂ））のいずれかを選択して視標リング２２を位置させることによる、左手及び右手での操作の両方の場合において同様に良好な操作性を維持することができるが、本発明はこれに限定されることはない。例えば、ノブ２の回転方向において対称となる位置にノッチを設けるなどで安定して停止できる複数の位置を有するようにして、ユーザの使用しやすい視標の位置を選択できるようにしてもよい。更には、視標リング２２を無段階で全周の範囲で回転可能として、ユーザの最も使用しやすい視標の回転位置を任意に設定できるようにしてもよい。
【００２５】
以上の構造によって、視標リング２２を回転させることで視標部２２ａを任意の位置に配置できるとともに、視標部２２ａの配置範囲によって自動的に右手用と左手用にディスプレイ１６と十字キー１７の設定が切り替えることができる。そのため、部品点数を増やすことなく右手左手兼用のレンズ操作装置が可能となる。加えて、視標部２２ａの配置範囲によってスイッチ１８〜２１の機能も切り替わるため、機能の設定等を行い直すこともなく、撮影者の設定時間短縮となる。
【００２６】
以上、本発明の好ましい実施形態について説明したが、本発明はこれらの実施形態に限定されず、その要旨の範囲内で種々の変形及び変更が可能である。
【符号の説明】
【００２７】
１０１、２０１、３０１  フォーカスデマンド（レンズ操作装置）
１  筐体
１ａ、１ｂ、７ａ、７ｂ、１５ｂ、１５ｃ  視標
２  ノブ（操作部）
３  ディスプレイ（基準操作部）
４  十字キー（基準操作部）
５  スイッチ（基準操作部）
【図１】
2019179205.tif 000003
【図２】
2019179205.tif 000004
【図３】
2019179205.tif 000005
【図４】
2019179205.tif 000006
【図５】
2019179205.tif 000007
【図６】
2019179205.tif 000008
【図７】
2019179205.tif 000009